【事件の表示】
　特願２００６−　６１４９９「医用画像診断支援装置、医用画像診断装置、又は医用画像診断支援システム」拒絶査定不服審判事件〔平成１９年　９月２０日出願公開、特開２００７−２４１５５９、請求項の数（１０）〕について、次のとおり審決する。
【結　論】
　原査定を取り消す。
　本願の発明は、特許すべきものとする。
【理　由】
第１　手続の経緯
　
　本願の手続の経緯は，以下のとおりである。
平成１８年　３月　７日　　　出願
平成２３年　２月　２日付け　拒絶理由通知（最初）
平成２３年　４月１１日　　　意見書，手続補正書提出
平成２４年　１月　６日付け　拒絶理由通知（最初）
平成２４年　３月１９日　　　意見書，手続補正書提出
平成２４年　９月２４日付け　拒絶査定
平成２５年　１月　４日　　　審判請求書，手続補正書提出
平成２５年　５月２４日付け　審尋
平成２５年　７月２９日　　　回答書
平成２５年１０月２９日付け　拒絶理由通知（最初）
平成２６年　１月　６日　　　意見書，手続補正書提出
　
第２　平成２５年１０月２９日付け拒絶理由通知について
　
　当審における平成２５年１０月２９日付け拒絶理由通知は，以下のとおりである。
「本件出願は、特許請求の範囲の記載が下記の点で不備のため、特許法第３６条第６項第１号に規定する要件を満たしていない。 
 　 
請求項１，１０ 
　請求項１，１０に記載された「撮影の位置決め画像、オブジェクト固有情報、人体座標情報、撮影条件情報、画像生成条件情報及びキー画像情報のうち少なくとも一つを含む複数のオブジェクト」は，発明の詳細な説明に記載したものではない。 
　上記「・・・のうち少なくとも一つ」の記載によれば，オブジェクトは，オブジェクト固有情報のみを含むものでも良い。このオブジェクト固有情報は，オブジェクトを他のオブジェクトと区別するための識別子にすぎないから，オブジェクト固有情報のみを含むオブジェクトは，実質，患者の医療に関する有意な情報を何も含まないといえる。 
　このような，オブジェクト固有情報のみを含み，患者の医療に関する有意な情報を何も含まないオブジェクトは，発明の詳細な説明に記載も示唆もされていない。 」
　
　前記拒絶理由通知に対する手続補正により，請求項１，１０に記載された「撮影の位置決め画像、オブジェクト固有情報、人体座標情報、撮影条件情報、画像生成条件情報及びキー画像情報のうち少なくとも一つを含む複数のオブジェクト」は，「撮影の位置決め画像と、オブジェクト固有情報、人体座標情報、撮影条件情報、画像生成条件情報及びキー画像情報のうち少なくとも一つと、を含む複数のオブジェクト」に補正された。
　この手続補正により，オブジェクトは「撮影の位置決め画像」を含むものとなり，拒絶理由通知において指摘した「オブジェクト固有情報のみを含むオブジェクト」は削除された。したがって，前記拒絶理由は解消した。
　次に，前記手続補正は誤記を訂正する程度の補正であるところから，本願が原査定の理由によって拒絶すべきものか否を検討する。
　
第３　特許請求の範囲
　
　本願の請求項１〜１０に係る発明（以下，「請求項１発明」〜「請求項１０発明」という。）は，平成２６年１月６日の手続補正により補正された特許請求の範囲の請求項１〜１０に記載された事項により特定される次のとおりのものである。
　
＜特許請求の範囲＞
「【請求項１】
　画像保管手段に保管される複数の画像又はレポート保管手段に保管される複数のレポートより、特定の患者に関する画像及びレポートの少なくとも一方を選択するための選択手段と、
　前記レポート保管手段に保管された複数のレポート及び前記画像保管手段に保管された複数の画像とは分離して管理され、撮影の位置決め画像と、オブジェクト固有情報、人体座標情報、撮影条件情報、画像生成条件情報及びキー画像情報のうち少なくとも一つと、を含む複数のオブジェクトを保管するオブジェクト保管手段より、前記選択手段による選択操作に応答して、前記選択された画像及びレポートの少なくとも一方に関連付けられている撮影の位置決め画像と、オブジェクト固有情報、人体座標情報、撮影条件情報、画像生成条件情報及びキー画像情報のうちのいずれかを含む少なくとも一つと、の前記オブジェクトを選択し、前記選択されたオブジェクトに含まれる情報に基づいて、医療情報を生成する生成手段と、
　を具備することを特徴とする医用画像診断装置又は医用画像診断支援装置。
　　【請求項２】
　前記オブジェクト保管手段が保管する前記各オブジェクトは、前記撮影の位置決め画像と、診断の根拠とされた画像であるキー画像の前記撮影の位置決め画像上における位置を示す情報と、を含むものであり、
　前記生成手段は、前記撮影の位置決め画像と、前記キー画像の前記撮影の位置決め画像上における位置と、を含む前記医療情報を生成すること、
　を特徴とする請求項１記載の医用画像診断装置又は医用画像診断支援装置。
　　【請求項３】
　前記生成手段は、前記選択されたオブジェクトのうち少なくとも一部の情報又は当該抽出されたオブジェクトのアドレス情報を含めて前記医療情報を生成することを特徴とする請求項１又は２記載の医用画像診断装置又は医用画像診断支援装置。
　　【請求項４】
　前記生成手段は、前記選択された画像及びレポートの少なくとも一方のシリーズ情報に基づいて、前記医療情報を生成することを特徴とする請求項１乃至請求項３のうちいずれか一項記載の医用画像診断装置又は医用画像診断支援装置。
　　【請求項５】
　前記選択手段によって前記画像が選択された場合には、前記医療情報を送信するための通信環境情報に基づいて、当該選択された画像を前記医療情報に含めるか否かを判定する判定手段をさらに具備し、
　前記生成手段は、前記判定手段が前記選択された画像を前記医療情報に含めると判定した場合には、前記選択された画像、又は当該選択された画像のアドレス情報を含む前記医療情報を生成すること、
　を特徴とする請求項１乃至請求項４のうちいずれか一項記載の医用画像診断装置又は医用画像診断支援装置。
　　【請求項６】
　前記選択手段によって前記レポートが選択された場合には、前記医療情報を送信するための通信環境情報に基づいて、当該選択されたレポートを前記医療情報に含めるか否かを判定する判定手段をさらに具備し、
　前記生成手段は、前記判定手段が前記選択されたレポートを前記医療情報に含めると判定した場合には、前記選択されたレポート、又は当該選択されたレポートのアドレス情報を含む前記医療情報を生成すること、
　を特徴とする請求項１乃至請求項４のうちいずれか一項記載の医用画像診断装置又は医用画像診断支援装置。
　　【請求項７】
　前記通信環境情報は、前記医療情報を送信するためのネットワーク回線速度及び前記医療情報の送信先の情報漏洩に関する安全性の少なくとも一方を含むことを特徴とする請求項５又は請求項６記載の医用画像診断装置又は医用画像診断支援装置。
　　【請求項８】
　生成された前記医療情報を可搬メディアに保存する保存手段を更に具備し、
　前記生成手段は、前記選択手段によって前記画像が選択された場合には、前記可搬メディアの容量と前記選択された画像とのデータサイズに基づいて、当該画像を前記可搬メディアに保存するか否かを判定し、
　前記選択された画像を前記可搬メディアに保存可能と判定した場合には、前記選択された画像を前記可搬メディアに保存し、前記選択された画像を前記可搬メディアに保存不可と判定した場合には、前記選択された画像をネットワークを介して前記患者の紹介先の端末が取得するための情報を含む前記医療情報を生成すること、
　を特徴とする請求項１乃至請求項４のうちいずれか一項記載の医用画像診断装置又は医用画像診断支援装置。
　　【請求項９】
　生成された前記医療情報を可搬メディアに保存する保存手段を更に具備し、
　前記生成手段は、前記選択手段によって前記レポートが選択された場合には、前記可搬メディアの容量と前記選択されたレポートとのデータサイズに基づいて、当該レポートを前記可搬メディアに保存するか否かを判定し、
　前記判定手段が前記選択されたレポートを前記可搬メディアに保存可能と判定した場合には、前記選択されたレポートを前記可搬メディアに保存し、前記選択されたレポートを前記可搬メディアに保存不可と判定した場合には、前記選択されたレポートをネットワークを介して前記患者の紹介先の端末が取得するための情報を含む前記医療情報を生成すること、
　を特徴とする請求項１乃至請求項４のうちいずれか一項記載の医用画像診断装置又は医用画像診断支援装置。
　　【請求項１０】
　複数の画像を保管する画像保管手段と、
　複数のレポートを保管するレポート保管手段と、
　前記画像保管手段又は前記レポート保管手段より、特定の患者に関する画像及びレポートの少なくとも一方を選択するための選択手段と、
　前記レポート保管手段に保管される複数のレポート及び前記画像保管手段に保管される複数の画像とは分離して管理され、撮影の位置決め画像と、オブジェクト固有情報、人体座標情報、撮影条件情報、画像生成条件情報及びキー画像情報のうち少なくとも一つと、を含む複数のオブジェクトを保管するオブジェクト保管手段より、前記選択手段による選択操作に応答して、前記選択された画像及びレポートの少なくとも一方に関連付けられている撮影の位置決め画像と、オブジェクト固有情報、人体座標情報、撮影条件情報、画像生成条件情報及びキー画像情報のうちのいずれかと、を含む少なくとも一つの前記オブジェクトを含むオブジェクトを選択し、前記選択されたオブジェクトに含まれる情報に基づいて、医療情報を生成する生成手段と、
　を具備することを特徴とする医用画像診断装置又は医用画像診断支援システム。」
　
第４　引用文献
　
１．特開２００５−２０９０４４号公報
　
　原査定の拒絶の理由において引用された特開２００５−２０９０４４号公報（以下，「引用文献１」という。）には，次の事項が記載されている（下線は，当審において付与したものである。）。
　
ア．「【００１０】
　上記構成によれば、
電子カルテのデータや検体検査データ、診断画像データなどの医療情報を交換する際、必要なデータのみを選択して送信することができる。
　
イ．「【００２１】
　図１は、
医療情報交換システム
【００２２】
　
医療機関ごとの医療情報システム１２，１４は、通信網１６（例えば、インターネットや公衆回線網）を介して、サーバ３０と接続される
【００２３】
　
Ａ病院の医療情報システム１２は、ＬＡＮ１２ｘを介して端末１２ｔと接続された医療情報システム（Ａシステム）１２ｓとは別に、医療情報交換システムの受信部２０を含む
受信部２０は、通信部２２とコンバート部２４とを含む
コンバート部２４は、通信部２２が受信した共通データ形式のデータを、Ａシステム１２ｓにおける電子カルテ等の医療情報の個別データ形式のデータに変換する。
【００２４】
　
Ｂクリニックの医療情報システム１４は、ＬＡＮ１４ｘを介して端末１４ｔと接続された医療情報システム（Ｂシステム）１４ｓとは別に、医療情報交換システムの送信部２１を含む。
医療情報交換システムの送信部２１は、通信部２２とコンバート部２５とを含む。通信部２２は、通信網１６と接続するためのインターフェースであり、データの送受信を行う。コンバート部２５は、ＬＡＮ１４ｘを介して、端末１４ｔ及びＢシステム１４ｓに接続され、Ｂシステム１４ｓにおける電子カルテ等の医療情報中の個別データ形式のデータを、共通データ形式に変換する
【００２５】
　
サーバ３０は、
記憶部３６とを備える
記憶部３６には、データが格納され
【００２６】
　医療情報交換システムの受信部２０及び送信部２１は、詳しくは図２の機能ブロック図に示したように構成される。通信部２２は、送受信部２３ａと、暗号／復号化部２３ｂとを含む。送受信部２３ａは、通信網１６に接続され、データの送受信を行う。」
　
ウ．「【００２７】
　
コンバート部２４は、データ変換部２６ａ
を含む
　
エ．「【００３３】
　図４（ａ）は、医療情報交換システムの送信部２１の動作を示すフローチャートである。端末１４ｔが、ＬＡＮ１４ｘを介して送信部２１に接続されると、端末制御部２６ｂは、端末１４ｔの画面に患者の識別子を入力するよう促す表示を行うためのデータを、端末１４ｔに送信する。
端末１４ｔから患者の識別子が入力されると、
その患者の電子カルテ等の医療情報（すなわち、第１の医療情報）を読み出し、例えば図３のように、端末１４ｔの画面に、医療情報のデータを項目に分けて表示させる（＃１２）。端末１４ｔの操作によりデータが選択され
送出されたデータは、データ変換部２６ａにおいて、対応テーブル部２６ｄを参照しながら共通データ形式に変換される（＃１８）
共通データ形式に変換されたデータ（データＸ）とＢクリニックの識別子及び患者の識別子（データＹ）と対にして
サーバ３０に送信する
【００３４】
　図４（ｂ）は、医療情報交換システムの受信部２０の動作を示すフローチャートである。端末１２ｔが、ＬＡＮ１２ｘを介して送信部２０に接続され、
端末１２ｔから、サーバ３０からのデータ受信に必要なデータ（例えば、Ｂクリニックの識別子及び患者の識別子、すなわちデータＹ）が入力されると、
送受信部２３ａからサーバ−３０に、データの読み出し要求（すなわち、受信要求）として送信する（＃３０）。これに応じて、サーバ３０から所定のデータ（すなわち、データＸ’）が送信され、これを送受信部２３ａで受信する（＃３２）
受信したデータＸ’は
データ変換部２６ａにおいて共通データ形式から個別データ形式に変換される（＃３４）。端末制御部２６ｂは、個別データ形式に変換されたデータを、適宜な表示形式で、例えばＡシステムの電子カルテ等の医療情報と同じ表示形式で、端末１２ｔに表示させる（＃３６）
　
　前記ア．〜エ．によれば，引用文献１には，次の発明（以下，「引用発明」という。）が記載されているといえる。
　
＜引用発明＞
「電子カルテのデータや検体検査データ，診断画像データなどの医療情報を交換する医療情報交換システムであって，
　医療機関ごとの医療情報システム１２，１４が、通信網１６を介してサーバ３０と接続され，
　Ｂクリニックの医療情報システム１４は，ＬＡＮ１４ｘを介して接続された，端末１４ｔと，医療情報システム（Ｂシステム）１４ｓと，医療情報交換システムの送信部２１とを含み，当該送信部２１は，通信部２２と，Ｂシステム１４ｓにおける医療情報中の個別データ形式のデータを，共通データ形式に変換するコンバート部２５とを含み，
　Ａ病院の医療情報システム１２は，ＬＡＮ１２ｘを介して接続された，端末１２ｔと，医療情報システム（Ａシステム）１２ｓと，医療情報交換システムの受信部２０とを含み，当該受信部２０は，通信部２２と，通信部２２が受信した共通データ形式のデータを，Ａシステム１２ｓにおける医療情報の個別データ形式のデータに変換するコンバート部２４を含み，
　サーバ３０は，データを格納する記憶部３６を含み，
　Ｂクリニックの端末１４ｔから患者の識別子が入力されると，Ｂシステム１４ｓはその患者の医療情報を読み出し，端末１４ｔは読み出された医療情報を表示し，
　端末１４ｔの操作により医療情報が選択されると，選択された医療情報はコンバート部２５に送出され，コンバート部２５において共通データ形式に変換され，
　送信部２１は，共通データ形式に変換された医療情報とＢクリニックの識別子及び患者の識別子とを対にしたデータをサーバ３０に送信し，
　Ａクリニックの端末１２は，サーバ３０からのデータ受信に必要なＢクリニックの識別子及び患者の識別子が入力されると、サーバ−３０にデータの読み出し要求を送信し，
　サーバ３０は，これに応じてデータを送信し，
　Ａクリニックのコンバート部２４は，サーバ３０から受信されたデータを共通データ形式から個別データ形式に変換し，端末１２ｔは，個別データ形式に変換されたデータを、Ａシステムの医療情報と同じ表示形式で表示させる，医療情報交換システム。」
　
２．特開２００５−１２４６１７号公報
　
　原査定の拒絶の理由において引用された特開２００５−１２４６１７号公報（以下，「引用文献２」という。）には，次の事項が記載されている。
　
オ．「【００８８】
＜第２の実施の形態＞
　次に、本発明の第２の実施の形態について説明する。
　図９に、本発明の第２の実施の形態における医用画像診断支援システム２００の全体構成を示す概念図である。図９に示すように、医用画像診断支援システム２００は、画像生成装置１ａ〜１ｅ、画像処理装置２、画像記録装置３、画像サーバ４等がネットワークＮを介して、相互にデータ送受信可能なように接続されている。
【００８９】
　画像サーバ４は、画像生成装置１ａ〜１ｅにより生成された画像データをその付帯情報と対応付けて記憶する画像ＤＢ（Date Base）４１を有し、画像処理装置２からネットワークＮを介して患者ＩＤ、画像生成装置情報（モダリティ種）及び撮影部位等の情報が出力され、同一モダリティで生成された過去画像データ、及び／又は、他の種類の画像生成装置（モダリティ）により生成された画像データ（他モダリティ画像データ）の送信要求を受信すると、画像ＤＢ４１から、該当する画像データを検索し、その付帯情報とともに画像処理装置２に出力する。付帯情報には、例えば、撮影された患者の患者氏名、患者ＩＤ、年齢、性別等の患者に関する患者情報、撮影日、検査ＩＤ、撮影部位、撮影条件（体位、撮影方向等）、画像生成装置情報（モダリティ種）等の撮影情報が含まれる。」
　
　前記オ．によれば，引用文献２には次の事項が記載されているといえる。
　
＜引用文献２の記載事項＞
「医用画像診断支援システム２００において，
　画像生成装置１ａ〜１ｅ，画像処理装置２，画像記録装置３，画像サーバ４がネットワークＮを介して接続され，
　画像サーバ４は，
　画像生成装置１ａ〜１ｅにより生成された画像データを，患者氏名，患者ＩＤ，年齢，性別等の患者情報，撮影日，検査ＩＤ，撮影部位，撮影条件（体位，撮影方向等），画像生成装置情報（モダリティ種）等の撮影情報を含んだ付帯情報と対応付けて記憶する画像ＤＢ４１を有し，
　画像処理装置２から，患者ＩＤ，画像生成装置情報及び撮影部位等の情報と，その画像生成装置で生成された過去画像データ，及び／又は，他の種類の画像生成装置により生成された画像データの送信要求を受信すると，画像ＤＢ４１から該当する画像データを検索し，その付帯情報とともに画像処理装置２に出力する，医用画像診断支援システム。」
　
３．特開２００２−８２８７０号公報
　
　原査定の拒絶の理由において引用された特開２００２−８２８７０号公報（以下，「引用文献３」という。）には，次の事項が記載されている（下線は，当審において付与したものである。）。
　
カ．「【００４３】図１は、本実施形態に係る情報掲示板システムの概略構成を示すブロック図である。該情報掲示板システムは、情報掲示板サーバ１、携帯端末（端末装置）２、および課金サーバ３を備えた構成となっている。情報掲示板サーバ１と携帯端末２との間は、インターネットなどの通信ネットワークによって接続されている。また、情報掲示板サーバ１と課金サーバ３との間は、インターネットなどの通信ネットワーク、あるいは専用線などによって接続されている。
【００４４】
携帯端末２のユーザは、携帯端末２を介して情報掲示板サーバ１にアクセスすることにより、各種情報サービス（詳細は後述する）を受けることが可能となっている
　
キ．「【００７２】次に、
携帯端末２における処理
　
ク．「【００７７】また、Ｓ１における処理によって、ＲＡＭ２３に位置情報が格納されている場合には、該位置情報を条件に付加したり、
携帯端末２の通信速度に応じて、受信するデータの条件として、テキストデータのみ、画像以外のデータ、全データなどに設定してもよい
【００７８】
例えば、携帯電話などの転送レートの低い通信手段を介して情報を取得する場合は、取得要求の中に、必要なデータ項目を指定することによって、ユーザの情報取得にかかる付加を軽減することができる
　
　前記カ．〜ク．によれば，引用文献３には次の事項が記載されているといえる。
　
＜引用文献３の記載事項＞
「情報掲示板サーバ１にアクセスすることにより，各種情報サービスを受けることが可能な携帯端末２において，
　通信速度に応じて、受信するデータの条件として，テキストデータのみ，画像以外のデータ，全データなどが設定され，
　情報掲示板サーバ１への情報取得要求の中に必要なデータ項目を指定して，ユーザの情報取得にかかる負荷を軽減する，携帯端末。」
　
４．特開２００５−１４９１８１号公報
　
　原査定の拒絶の理由において引用された特開２００５−１４９１８１号公報（以下，「引用文献４」という。）には，次の事項が記載されている（下線は，当審において付与したものである。）。
　
ケ．「【００１４】
　まず、構成を説明する。
　図１に、本実施の形態における医用画像情報管理システム１００のシステム構成を示す。
　図１に示すように、
医用画像情報管理システム１００は、モダリティ１０、サーバ２０、画像ＤＢ（Data Base）３０
から構成され
通信ネットワークＮを介して相互にデータの送受信が可能に接続されている
　
コ．「【００１８】
　
モダリティ１０は
患者を撮影しその医用画像の画像データを生成する。そして、医用画像を特定するための患者情報、検査情報、シリーズ情報、画像情報を生成された医用画像の付帯情報としてその画像データに付帯させてサーバ２０に送信する。
【００１９】
　
サーバ２０は
モダリティ１０から送信された医用画像の画像データを画像ＤＢ３０に保存させるとともに、その付帯情報に含まれる患者情報、検査情報、シリーズ情報及び画像情報をデータベース化し、サーバ２０が有する情報記憶手段としての基本情報ＤＢ２７に保存する
　
サ．「【００３２】
　
基本情報ＤＢ２７は
内部に患者情報、検査情報、シリーズ情報及び画像情報などの付帯情報を格納するための患者情報テーブル２７１、検査情報テーブル２７２、シリーズ情報テーブル２７３、画像情報テーブル２７４、画像情報格納管理テーブル２７５をそれぞれ関連付けて備えている
　
シ．「【００３６】
　
画像情報テーブル２７４には
医用画像のファイル保存場所を示すアドレスを組み合わせて構成されるＳＯＰインスタンスＵＩＤと、その画像情報に対応する患者情報ＬＩＤ、検査情報ＬＩＤ、シリーズ情報ＬＩＤとが格納されるとともに、画像が生成された際に付された画像番号、画像が生成された画像日付や画像時刻の生成日時情報、割り当てビット等のビット情報、原画像、ＤＩＣＯＭ圧縮画像、ＪＰＥＧ圧縮画像、サムネイル画像の各画像へのファイルパス名、圧縮率等の画像管理や画像生成に関する各種項目情報が格納される。
　
ス．「【００５８】
　よって、患者の医用画像を特定するための画像情報が膨大な数になっても、画像情報は複数の画像情報テーブル２７４に所定の期間毎に区切られ、区分されて記憶されているので、その区分された
各画像情報テーブル２７４を検索し、所望する画像情報を所得し、その画像情報により特定される医用画像を取得する
　
　前記ケ．〜ス．によれば，引用文献４には，次の事項が記載されているといえる。
　
＜引用文献４の記載事項＞
「医用画像情報管理システム１００において，
　モダリティ１０、サーバ２０、画像ＤＢ３０が，通信ネットワークＮを介して接続され，
　モダリティ１０は、患者を撮影して医用画像の画像データを生成し，医用画像を特定するための患者情報、検査情報、シリーズ情報、画像情報を付帯情報としてその画像データに付帯させてサーバ２０に送信し，
　サーバ２０は、モダリティ１０から送信された医用画像の画像データを画像ＤＢ３０に保存させるとともに、その付帯情報に含まれる患者情報、検査情報、シリーズ情報及び画像情報をデータベース化し、サーバ２０の基本情報ＤＢ２７に保存し，
　基本情報ＤＢ２７は、内部に患者情報、検査情報、シリーズ情報及び画像情報などの付帯情報を格納するための患者情報テーブル２７１、検査情報テーブル２７２、シリーズ情報テーブル２７３、画像情報テーブル２７４、画像情報格納管理テーブル２７５をそれぞれ関連付けて備えており，
　画像情報テーブル２７４には，医用画像のファイル保存場所を示すアドレスを組み合わせて構成されるＳＯＰインスタンスＵＩＤと、その画像情報に対応する患者情報ＬＩＤ，検査情報ＬＩＤ、シリーズ情報ＬＩＤとが格納されるとともに、画像が生成された際に付された画像番号，画像が生成された画像日付や画像時刻の生成日時情報，割り当てビット等のビット情報，原画像，ＤＩＣＯＭ圧縮画像，ＪＰＥＧ圧縮画像，サムネイル画像の各画像へのファイルパス名，圧縮率等の画像管理や画像生成に関する各種項目情報が格納され，
　画像情報テーブル２７４を検索し、所望する画像情報を取得し，その画像情報により特定される医用画像を取得する，医用画像情報管理システム。」
　
５．特開平９−２２３１５７号公報
　
　原査定の拒絶の理由において引用された特開平９−２２３１５７号公報（以下，「引用文献５」という。）には，次の事項が記載されている（下線は，当審において付与したものである。）。
　
セ．「【０００７】まず、本発明の
医用画像情報検索装置
医用画像検索装置は
各種モダリティから得た画像情報
前記画像情報を当該付帯情報に基づいて記憶する画像情報記憶部４ｃと当該付帯情報と前記画像情報を対応づける画像管理情報を記憶する画像管理情報記憶部４ｄと
を備える画像ワークステーション４と、この画像管理情報に基づいて前記検索条件に対応する画像情報を出力する表示モニタ５を有する
　
ソ．「【０００９】次に、本発明の医用画像情報検索装置の検索例を、図３を用いて述べる。ここでは、患者Ａ氏の１００枚の画像情報のうちのＸ線ＣＴ画像の第５枚目の画像情報を検索して読み出すものとする。
ステップ．３１
オペレータは、キーボード１またはマウス２により患者情報と所望する撮影条件と所望する画像情報（ここでは患者Ａ氏、Ｘ線ＣＴ装置、第５枚目）を検索条件として入力する（検索条件入力）。以降のステップは、中央処理制御部４ｅが行う。
ステップ．３２
入力された検索条件に基づき、付帯情報を
検索して、一致する付帯情報を拾い上げる（付帯情報の検索）
ステップ．３３
拾い上げた付帯情報についての階層テーブル上のアドレスを得て、画像管理情報記憶部４ｄに引き渡す（付帯情報アドレスの引渡）
ステップ．３４
画像管理情報記憶部４ｄ上で引き渡されたアドレスに対応する画像情報のアドレスを出力する（画像情報アドレスの出力）
ステップ．３５
出力された画像情報のアドレスに基づいて、画像情報記憶部４ｃに記憶された画像情報を読み出す（画像情報の読み出し）
ステップ．３６
読み出した画像情報を画像表示モニタなどの表示装置に表示出力する（画像情報の出力）
　
　前記セ．ソ．によれば，引用文献５には次の事項が記載されているといえる。
　
＜引用文献５の記載事項＞
「医用画像情報検索装置において，
画像ワークステーション４と，表示モニタ５とを有し，
画像ワークステーション４は，
　各種モダリティから得た画像情報の付帯情報を記憶する付帯情報記録部４ｂと，
　前記画像情報を当該付帯情報に基づいて記憶する画像情報記憶部４ｃと，
　当該付帯情報と前記画像情報を対応づける画像管理情報を記憶する画像管理情報記憶部４ｄと，
　中央処理制御部４ｅとを備え，
　入力された検索条件に基づいて付帯情報を検索し，
　検索された付帯情報についてのアドレスを画像管理情報記憶部４ｄに引渡し，
　画像管理情報記憶部４ｄ上で，引き渡されたアドレスに対応する画像情報のアドレスを出力し，
　出力された画像情報のアドレスに基づいて、画像情報記憶部４ｃに記憶された画像情報を読み出し，
　読み出した画像情報を表示モニタに表示出力する，医用画像情報検索装置。」
　
第５　対比・判断
　
１．請求項１発明
　
　請求項１発明と引用発明とを対比する。
・引用発明の「Ｂクリニックの医療情報システム１４」は，診断画像データなどの医療情報を交換するから，請求項１発明の「医用画像診断装置又は医用画像診断支援装置」に相当する。
　
・引用発明のＢシステム１４ｓは，「その患者の医療情報を読み出」すから，「電子カルテのデータや検体検査データ，診断画像データなどの医療情報」を保管する手段である。
　したがって，引用発明のＢシステム１４ｓは，請求項１発明の「画像保管手段」及び「レポート保管手段」に相当する。
　
・引用発明は「Ｂクリニックの端末１４ｔから患者の識別子が入力されると，Ｂシステム１４ｓはその患者の医療情報を読み出し，端末１４ｔは読み出された医療情報を表示し，
　端末１４ｔの操作により医療情報が選択されると，選択された医療情報はコンバート部２５に送出され」るから，端末１４ｔは，Ｂシステム１４ｓから読み出された患者の医療情報を選択するための選択手段を有する。
　この選択手段は，請求項１発明の「画像保管手段に保管される複数の画像又はレポート保管手段に保管される複数のレポートより，特定の患者に関する画像及びレポートの少なくとも一方を選択するための選択手段」に相当する。
　
・引用発明の「端末１４ｔの操作により医療情報が選択されると，選択された医療情報はコンバート部２５に送出され，コンバート部２５において共通データ形式に変換され，
　送信部２１は，共通データ形式に変換された医療情報とＢクリニックの識別子及び患者の識別子とを対にしたデータをサーバ３０に送信し」において，選択された医療情報を共通データ形式に変換する手段は，選択手段による選択操作に応答して，医療情報を生成する生成手段といえる。
　したがって，引用発明における，選択された医療情報を共通データ形式に変換する手段と，請求項１発明の「前記レポート保管手段に保管された複数のレポート及び前記画像保管手段に保管された複数の画像とは分離して管理され、撮影の位置決め画像と、オブジェクト固有情報、人体座標情報、撮影条件情報、画像生成条件情報及びキー画像情報のうち少なくとも一つと、を含む複数のオブジェクトを保管するオブジェクト保管手段より、前記選択手段による選択操作に応答して、前記選択された画像及びレポートの少なくとも一方に関連付けられている撮影の位置決め画像と、オブジェクト固有情報、人体座標情報、撮影条件情報、画像生成条件情報及びキー画像情報のうちのいずれかを含む少なくとも一つと、の前記オブジェクトを選択し、前記選択されたオブジェクトに含まれる情報に基づいて、医療情報を生成する生成手段」は，
　「前記選択手段による選択操作に応答して，医療情報を生成する生成手段」の点で共通する。
　
　したがって，請求項１発明と引用発明は，以下の点で一致する。
＜一致点＞
「画像保管手段に保管される複数の画像又はレポート保管手段に保管される複数のレポートより，特定の患者に関する画像及びレポートの少なくとも一方を選択するための選択手段と，
　前記選択手段による選択操作に応答して，医療情報を生成する生成手段と，
　を具備する医用画像診断装置又は医用画像診断支援装置。」
　
　そして，請求項１発明と引用発明は，以下の点で相違する。
＜相違点＞
　生成手段が，請求項１発明では，「前記レポート保管手段に保管された複数のレポート及び前記画像保管手段に保管された複数の画像とは分離して管理され，撮影の位置決め画像と，オブジェクト固有情報，人体座標情報，撮影条件情報，画像生成条件情報及びキー画像情報のうち少なくとも一つと，を含む複数のオブジェクトを保管するオブジェクト保管手段より」，「前記選択された画像及びレポートの少なくとも一方に関連付けられている撮影の位置決め画像と，オブジェクト固有情報，人体座標情報，撮影条件情報，画像生成条件情報及びキー画像情報のうちのいずれかを含む少なくとも一つと，の前記オブジェクトを選択し，前記選択されたオブジェクトに含まれる情報」に基づくのに対し，引用発明では，上記オブジェクト保管手段を有しておらず，このオブジェクト保管手段から選択されたオブジェクトに含まれる情報に基づくものでもない点。
　
　次に，上記相違点について検討する。
（１）まず，上記相違点のうち「撮影の位置決め画像と，オブジェクト固有情報，人体座標情報，撮影条件情報，画像生成条件情報及びキー画像情報のうち少なくとも一つと，を含む複数のオブジェクト」が，引用文献２〜５に記載されているかどうかについて検討する。
　引用文献２には，「画像データを，患者氏名，患者ＩＤ，年齢，性別等の患者情報，撮影日，検査ＩＤ，撮影部位，撮影条件（体位，撮影方向等），画像生成装置情報（モダリティ種）等の撮影情報を含んだ付帯情報と対応付けて記憶する画像ＤＢ４１」が記載されているものの，この付帯情報がオブジェクトであることは記載されておらず，「撮影の位置決め画像」も含んでいない。したがって，引用文献２に記載された付帯情報は，請求項１発明のオブジェクトに相当するものではない。
　また，引用文献３は，本願の請求項６に記載された「前記医療情報を送信するための通信環境情報に基づいて、当該選択されたレポートを前記医療情報に含めるか否かを判定する判定手段」に対して引用されたものであり，請求項１発明のオブジェクト保管手段について言及するものではない。
　また，引用文献４の基本情報ＤＢ２７は，医用画像の付帯情報を格納する患者情報テーブル２７１、検査情報テーブル２７２、シリーズ情報テーブル２７３、画像情報テーブル２７４、画像情報格納管理テーブル２７５を備えるものの，この付帯情報がオブジェクトであることは記載されておらず，「「撮影の位置決め画像」を含んでいない。したがって，引用文献４にも，請求項１発明のオブジェクトは記憶されていない。
　また，引用文献５には，「各種モダリティから得た画像情報の付帯情報を記憶する付帯情報記録部４ｂ」が記載されているものの，付帯情報がオブジェクトであることは記載されておらず，「撮影の位置決め画像」を含んでない。
　したがって，請求項１発明の上記オブジェクトは，引用文献２〜５のいずれにも記載されておらず，示唆もされていないから，引用発明に引用文献２〜５の記載事項を組み合わせたとしても，上記相違点に係る構成は容易に想到し得ない。
　
（２）次に，請求項１発明は，画像及びレポートの少なくとも一方の選択操作に応答して，これらに関連付けられたオブジェクトを選択するが，この機能，動作が引用文献２〜５に記載されているかどうかについて検討する。
　引用文献２には，「画像処理装置２から，患者ＩＤ，画像生成装置情報及び撮影部位等の情報と，その画像生成装置で生成された過去画像データ，及び／又は，他の種類の画像生成装置により生成された画像データの送信要求を受信すると，画像ＤＢ４１から，該当する画像データを検索し，その付帯情報とともに画像処理装置２に出力する」ことが記載されている。しかしながら，患者ＩＤや画像生成装置情報，撮影部位等の情報に基づいて画像ＤＢを検索しているだけで，画像やレポートの選択操作に応答して，これらに関連付けられたオブジェクトを選択していない。
　また，引用文献３は，前記のとおり，本願の請求項６に係る判定手段に対して引用されたものであり，画像やレポートの選択操作や，オブジェクトの選択について言及するものではない。
　また，引用文献４には，「画像情報テーブル２７４を検索し，所望する画像情報を取得し，その画像情報により特定される医用画像を取得する」ことが記載されているものの，これは，画像番号、画像の生成日時情報などの画像情報を検索し，検索された画像情報により特定される医用画像を取得するものであり，医用画像の選択操作に応答してオブジェクトを選択するものではない。
　また，引用文献５には，「入力された検索条件に基づいて付帯情報を検索し，検索された付帯情報についてのアドレスを画像管理情報記憶部４ｄに引渡し，画像管理情報記憶部４ｄ上で，引き渡されたアドレスに対応する画像情報のアドレスを出力し，出力された画像情報のアドレスに基づいて、画像情報記憶部４ｃに記憶された画像情報を読み出」すことが記載されているものの，これは，付帯情報を検索した後に，検索された付帯情報に関連する画像情報を読み出すものであり，画像情報の選択操作に応答してオブジェクトを選択するものではない。
　したがって，請求項１発明における，画像やレポートの「前記選択手段による選択操作に応答して、前記選択された画像及びレポートの少なくとも一方に関連付けられている」，「前記オブジェクトを選択」する構成は，いずれの引用文献にも記載されておらず，示唆もされていないから，引用発明に引用文献２〜５の記載事項を組み合わせたとしても，上記相違点に係る構成は容易に想到し得ない。
　
（３）以上のとおりであるから，請求項１発明は，引用発明，引用文献２〜５の記載事項に基づいて，当業者が容易に発明をすることができたものではない。
　
２．請求項２発明〜請求項９発明
　
　請求項２発明〜請求項９発明は，いずれも請求項１発明を限定したものであり，請求項１発明の発明特定事項を全て含むから，引用発明，引用文献２〜５の記載事項に基づいて，当業者が容易に発明をすることができたものではない。
　
３．請求項１０発明
　
　請求項１発明は，画像保管手段，レポート保管手段が，医用画像診断装置と別の構成であったのに対し，請求項１０発明は，画像保管手段とレポート保管手段を含んだ医用画像診断装置，または，医用画像診断支援システムとしたものであり，請求項１発明の発明特定事項を全て含む。
　したがって，請求項１０発明は，請求項１発明の発明特定事項を全て含み，請求項１発明と同様に，引用発明，引用文献２〜５の記載事項に基づいて，当業者が容易に発明をすることができたものではない。
　
第６　むすび
　
　以上のとおり，請求項１発明ないし請求項１０発明は，引用発明及び引用文献２〜５の記載事項に基いて、当業者が容易に発明をすることができたものではないから，原査定の理由によっては、本願を拒絶することはできない。
　また、他に本願を拒絶すべき理由を発見しない。
　よって，結論のとおり審決する。